(57)【要約】      （修正有）【課題】  新聞折り込み機、等の装置において、折り込み紙又は他の平坦な製品をある区域から他の区域まで高速で送り込むときに、製品がポケットの底で飛び跳ねたり、つぶれたりすることを防ぐ。【解決手段】回転把持ドラム又はプッシャディスクが静止スタックの底から紙製品を移動する開口ポケットに送る。その間、製品をドラム又はプッシュディスクの周速度よりも一旦速い速度に急速に加速して、送り速度を最大にし、その後、急速に減速してポケットに搬送する。【選択図】      図５
2006124175.tif 000002
【特許請求の範囲】
【請求項１】
平坦な製品を第一の区域から第二の区域に送るためのドラム手段と、
製品がドラム手段を離れるとき製品を加速するための、ドラム手段に隣接する加速手段と、
製品が第三の区域に送られる前に製品を減速するための、加速手段に隣接する減速手段と
を含むフィーダ。
【請求項２】
平坦な紙製品を送るための装置であって、
スタックの一番下から平坦な紙製品の前端を引くための回転把持ドラムを有するフィーダと、
製品がドラムを離れるとき製品を加速するための、ドラムに隣接し、互いに対して押し付けられている１対の加速ローラと、
製品がポケットの中に解放される前に製品を減速するための、加速ローラに隣接し、一方がセグメント化され、互いに対して押し付けられている１対の減速ローラと
を含む装置。
【請求項３】
平坦な紙製品を送るための装置であって、
スタックの一番下から平坦な紙製品の前端を下に押すための回転セグメント化プッシュディスクを有するフィーダと、
製品をプッシュディスクから離れさせながら加速するための、プッシュディスクに隣接し、一方がセグメント化され、互いに対して押し付けられている１対の加速ローラと、
製品がポケットの中に解放される前に製品を減速するための、加速ローラに隣接し、一方がセグメント化され、互いに対して押し付けられている１対の減速ローラと
を含む装置。
【請求項４】
平坦な製品を一つの区域から第二の区域まで加速するための、互いに対して押し付けられている１対の加速ローラと、
製品が第三の区域に運ばれる前に製品を減速するための、加速ローラに隣接し、一方がセグメント化され、互いに対して押し付けられている１対の減速ローラと
を含む加／減速装置。
【発明の詳細な説明】
【技術分野】
【０００１】
本発明は、平坦な製品、たとえば新聞折り込み、シート又は折丁をポケット又は機械の他の区域に送り込むための装置に関し、特に、送り速度及び効率を改善するための加速装置及び減速装置を有する改良されたフィーダに関する。
【背景技術】
【０００２】
通常、米国特許第４，７２３，７７０号又は米国特許第５，８２３，３２０号で開示されているような新聞折り込み機では、折り込み紙又は他の平坦な製品が、静止したスタックに配置され、自動フィーダによってスタックの一番下から一度に１枚ずつ、フィーダの下を移動するポケットの中に送られる。このようなフィーダは通常、スタックの一番下からシートを引き出し、シートをポケットに送り込むためにフィーダ内の回転ドラムを使用する。
【０００３】
正確かつ効率的な紙の取り扱いとともに非常に速い速度を達成するために、この構造では解決しなければならないいくつかの課題がある。まず、製品を静止したスタックから移動するポケットへと極力速やかに移さなければならない。製品を垂直方向に移すときには、重力を利用して製品の移動を支援する。しかし、重力だけでは不十分である。製品をポケットに落とし込むだけでは、所望の高速移動を可能にすることはできない。さらなる機械的な押す力又は引く力も必要である。次に、製品が、薄くて可撓性の高い折り込み紙である場合、つぶれ又はよじれを最小限にしながら、移動速度を最大限にし、極力まっすぐな状態に維持しながら製品を移されなければならない。そして、ひとたび製品がポケット又は他の区域に移されたならば、ポケットに「衝突」したり、その中でつぶれたり、目詰したりしてはならず、移動の後でポケットから「飛出」したりしてもならない。
【発明の開示】
【発明が解決しようとする課題】
【０００４】
したがって、製品を把持し、ポケット又は機械の他の部分に極力高速で「送り込む」ための加速装置が要望されている。同時に、製品がポケットの外に飛び跳ねたり、ポケットの中でつぶれたりすることを防ぐため、加速装置に隣接して、製品の前端がポケットの底に達する直前に製品を減速するための減速装置が求められる。
【課題を解決するための手段】
【０００５】
本発明は、とりわけ上述の要望を満足させる。平坦な製品を機械の他の部分、たとえば新聞折り込み機の移動する開口ポケットに非常に速い速度で自動的に送る改良された製品フィーダが開示される。１時間あたり何万個かの製品送り速度が本発明によって達成される。
【０００６】
一つの実施態様では、新聞折り込みが、垂直なスタックの一番下から一度に１枚ずつ回転ドラムの近くまで送られる。種々のタイプのドラムを使用することができる。たとえば、ドラムは、周期的に展開し、折り込みの前端を把持し、それをドラムの周面に沿って引き、それを移動コンベヤの上でポケットに送り込むグリッパを有することができる。もう一つの実施態様では、セグメント化プッシュディスクを使用して折り込みの前端をローラ対に押し当てる。
【０００７】
いずれの実施態様でも、送り及び把持の区域が重要である。第一の実施態様では、機械的なグリッパがシートを把持する。第二の実施態様では、セグメント化ホイールがシートを把持する。いずれの実施態様でも、２個のローラアセンブリが使用される。一方のローラアセンブリが加速装置として作用し、他方のローラアセンブリが減速装置として作用する。具体的には、１対の高速ニップローラが１対の低速ニップローラ対に隣接して取り付けられる。各アセンブリ中の各ローラが反対側のローラを押すように配設されて、各ローラ対が、そのローラ対の間を通過するシート又は他の平坦な製品を把持し、引くことができるようになっている。両方のローラアセンブリは、製品がスタックから機械の他の部分に送られる区域の近くで、フィーダの回転ドラム又はプッシュディスクに隣接して配置される。これらのローラアセンブリの組み合わせは、まず、製品がドラム又はプッシュディスクを離れるときの製品の動きを加速して、それを、ドラム又はプッシュディスクの周速度よりも速く、かつ重力による自由落下だけによって達成されるであろう速度よりも速い線速度まで加速し、次に、製品の前端が受けポケットの底に当たる前に製品を速やかに減速する。
【０００８】
より具体的には、本発明は、一つの実施態様で、
平坦な製品を第一の区域から第二の区域に送るためのドラム手段と、
製品がドラム手段を離れるとき製品を加速するための、ドラム手段に隣接する加速手段と、
製品が第三の区域に送られる前に製品を減速するための、加速手段に隣接する減速手段と
を含むフィーダを含む。
【０００９】
本発明は、もう一つの実施態様で、平坦な紙製品を送るための装置であって、
スタックの一番下から平坦な紙製品の前端を引くための回転把持ドラムを有するフィーダと、
製品がドラムを離れるとき製品を加速するための、ドラムに隣接し、互いに対して押し付けられている１対の加速ローラと、
製品がポケットの中に解放される前に製品を減速するための、加速ローラに隣接し、一方がセグメント化され、互いに対して押し付けられている１対の減速ローラと
を含む装置を含む。
【００１０】
本発明は、もう一つの実施態様で、平坦な紙製品を送るための装置であって、
スタックの一番下から平坦な紙製品の前端を下に押すための回転セグメント化プッシュディスクを有するフィーダと、
製品をプッシュディスクから離れさせながら加速するための、プッシュディスクに隣接し、一方がセグメント化され、互いに対して押し付けられている１対の加速ローラと、
製品がポケットの中に解放される前に製品を減速するための、加速ローラに隣接し、一方がセグメント化され、互いに対して押し付けられている１対の減速ローラと
を含む装置を含む。
【００１１】
本発明は、もう一つの実施態様で、
平坦な製品を一つの区域から第二の区域まで加速するための、互いに対して押し付けられている１対の加速ローラと、
製品が第三の区域に運ばれる前に製品を減速するための、加速ローラに隣接し、一方がセグメント化され、互いに対して押し付けられている１対の減速ローラと
を含む加／減速装置を含む。
【発明を実施するための最良の形態】
【００１２】
以下、平坦な紙、プラスチック又は他の製品、たとえば折り込み、シート、カード、折丁、ディスク、郵便物、フィルムパッケージなどを、静止した場所から移動する場所まで送るのに特に有用である本発明のいくつかの実施態様を説明する。一つの実施態様では、製品は、静止したスタックから把持され、製品フィーダ内の回転ドラムの周面に沿って引かれたのち、製品フィーダの下で移動するリニアコンベヤによって運ばれて移動する、上部が開口した垂直に向いたポケットに高速で送られる。しかし、本発明は、このような用途に限定されず、製品を機械中のある場所から別の場所まで効率的かつ非常に高速で移すために平坦な製品の送りが必要であるいかなる環境においても使用可能である。
【００１３】
本発明の一つの実施態様の外観が図１〜３に示され、その主要な内部可動部品が図４に示されている。これらの図面は後でさらに詳細に論じる。
【００１４】
本発明のもう一つの実施態様が図５に示されている。製品フィーダ１は、折り込み紙のような平坦な製品をスタック１０の一番下から一度に１枚ずつ開口した移動ポケット１００に送り込むためのモータ駆動ユニットを含む。製品のスタックはトレー１２上に保持されている。好ましい実施態様では、フィーダ１は、垂直に向いたポケット１００を運びながら水平なリニア移動コンベア（図示せず）の上方に取り付けられる。各ポケットは、開口した上部１００′及び閉じた下部１００″を有する。
【００１５】
フィーダ１の内部には、電気モータ（図示せず）によって駆動される軸２２を有する回転把持ドラム２０がある。図５に示す実施態様では、ドラム２０は左回りに回転する。回転速度は好ましくは一定であるが、所望により、変化させてもよい。ドラム２０は、ドラムの周囲に配設された１個以上のグリッパ２５を有する。ドラムが回転すると、各グリッパは、速やかに周期的に（ドラムから離れて）伸び、ドラムの回転方向と反対の方向に速やかに旋回したのち、速やかに（ドラムに向かって）下向きに旋回して、ドラムの回転サイクル中の適切なタイミングでドラムの周囲で製品の前端を把持し、引くように設計されている。その後、グリッパは、速やかに前方に旋回してドラムの中に戻って、適切なタイミングで製品をポケットの中に解放する。典型的な動作シーケンスを以下に記載する。
【００１６】
ドラム２０はまた、摩擦が変化する区域をその周面に有する。図５に示すこの実施態様では、ドラム２０は、ゴムのような高摩擦面材料３０の一つ以上の区域を低摩擦面材料３５の一つ以上の区域の間に介在させて有する。低摩擦面の区域はまた、ドラム２０の外縁の下にわずかに凹んでいる。
【００１７】
本発明の特徴として、回転ローラの２個のアセンブリがドラム２０の近くに取り付けられている。第一のアセンブリは、１個以上の加速バックアップローラ５５に対向して取り付けられた１個以上の加速ローラ５０を含む。ローラ５０及び５５は、ばねのような偏倚装置（図示せず）によって互いにしっかりと押し合うように配設され、折り込み紙又は他の平坦な製品を間に通し、ローラによってしっかりと把持し、引くことができるように設計されている。したがって、２個のローラ５０、５５はニップを形成し、本明細書では高速ニップローラとも呼ぶ。ローラ５０はモータ駆動であるが、ローラ５５はそうではない。しかし、望むならば、両方のローラを駆動してもよい。
【００１８】
本発明のもう一つの特徴として、両方の高速ニップローラ５０、５５は、回転ドラム２０に隣接して取り付けられるが、それらと同期的には回転しない。代わりに、より高速で回転する。より高速の回転の目的は、ドラムの周面が回転するのよりも速く製品をドラムから引き離すことである。すると、製品は、そうでなければドラムが製品を押す又は落とすであろうよりも速くポケットに送り込まれる。各ローラ５０、５５の回転軸は、ドラム２０の軸２２（回転軸）に対して平行である。しかし、図５から、ドラム２０の表面がセグメント化されているため、ローラ５５が常に高摩擦面３０と接触しているわけではないことが見てとれる。セグメント化構造の目的は、まず、折り込み１４をドラム２０の周囲でしっかりと把持することを可能にし、次に、折り込みを速やかに解放してポケット１００に送り込むことを可能にすることである。
【００１９】
また、１個以上のキャリーダウンローラ８０が高速ニップローラ５０、５５の上方に設けられている。好ましくは、ローラ８０は、高摩擦面を有し、ドラムの周面に対して押し付けられて、ドラム２０の周囲で折り込み１４を引くことを支援するニップを形成する。この実施態様では、ローラ８０は、アイドラローラ、すなわちモータによって積極的に駆動されないローラである。しかし、望むならば、これを駆動してもよい。
【００２０】
図５に示すように、高速ニップローラ５０、５５に隣接して、好ましくはそれらの下方には、１個以上の平滑な減速ローラ６０が取り付けられている。各ローラは駆動され、好ましくは、平滑な高摩擦材料をその周面に有している。ローラ６０に隣接して、駆動されるセグメント化減速ローラ６５がある。ローラ６０及び６５は、折り込み紙又は他の平坦な製品がローラ間を通過することができるように設計されている。ローラ６５はセグメント化されている。高摩擦材料７０がローラ６５の周面の小さな部分を覆い、低摩擦材料がその周面の残りを覆っている。高摩擦面７０がローラ６０に正対すると、ニップが形成される。ローラ６０及び６５は、本明細書では、低速ニップローラとも呼ぶ。
【００２１】
次に、図６〜１１を参照しながら図５の実施態様の動作を説明する。図６では、一番下の折り込み１４の前端１４′がスタックの中でその上にある他の折り込みから引き下げられていることが分かる。好ましい実施態様では、これは、折り込みの縁を真空によって引き下げる往復運動性吸引装置（図示せず）によって達成される。吸引装置に代わりに又はそれに加えてプッシュ装置（図示せず）を用いて、折り込みの前端をさらに押し下げてもよい。この時点で、図６に示すように、折り込みの前端１４′はドラム２０の周面に寄り掛かっている。グリッパ２５はドラム内に引っ込んだ位置にある。
【００２２】
ここで図７を見ると、ドラム２０は左回りに約３０〜４０°回転し、グリッパ２５はドラムから外に伸び、右回りに旋回し、折り込み１４の前端１４′を把持している。
【００２３】
図８では、ドラム２０が回転し続けるとともに、折り込み１４がグリッパ２５及びキャリーダウンローラ８０によってドラムの高摩擦面３０の周囲を左回りに引かれている状態が示されている。
【００２４】
図９では、ドラム２０が回転し続けるとともに、グリッパ２５が折り込み１４の前端１４′を解放し、それにより、前端がドラムからわずかに離れることを許している。解放直後、前端は、高速ニップローラ５０、５５の間に把持される。本発明の特徴として、ローラ５０、５５の周面がドラムの周面よりも速く回転するため、折り込み１４はただちに加速される。これが、他のやり方で可能であるよりも高速の送りを可能にする。この時点で、折り込みの下面の大部分がドラムの低摩擦面区域３５に寄り掛かるか、それよりもわずかに上にあるため、折り込み１４は、ドラムの周面に沿って容易に滑ることができる。
【００２５】
図１０では、ドラムが回転し続けたため、折り込み１４は今や低速ニップローラ６０、６５の間を通過し始めている。この時点で、折り込みの表面はセグメント化ローラ６５の低摩擦面７５に寄り掛かるか、そのすぐ上にあるため、折り込みは、実際には、ローラ６０、６５によって引かれるのではなく、むしろそれらの間を滑り抜けている。
【００２６】
図１１では、折り込み１４の後端１４″が高速ニップローラ５０、５５から解放され、その直後、低速ニップローラ６０、６５の高摩擦面セグメント７０によって把持されている状態が示されている。ローラ６０、６５の周面は折り込みよりも低速で移動するため、折り込み１４はただちに減速されて、正しくポケット１００に送り込まれる。セグメントの目的は、正確は減速タイミングを得ることである。具体的には、減速は、適切な紙の取り扱いと調和した最大送り速度を維持するため、可能な最後の瞬間まで遅らされる。このようにして、折り込み１４は、つぶれたり飛び跳ねたりすることなく、それでいて高速で、ポケット１００に落ち込む。ほぼ同じタイミング又はそれよりもわずかに早く、スタック中の次の折り込みの前端１４′が別のグリッパ２５によって把持されて、次の送りサイクルが開始される。
【００２７】
図４〜１１に記載した動作のタイミングを、ドラム１回転の間に折り込みが装置の中を移動するときの折り込みの前端１４′及び後端１４″の位置及び速度を示すグラフである図１２でさらに詳細に示す。水平軸は、ドラムの周面上のある点の位置を示す。垂直軸は、ドラムが３６０°１回転するときの折り込みの前端及び後端の位置を示す。図１２の中で「Ａ」として示す点で、図７に示すようにグリッパ２５が折り込み１４の前端１４′を把持する。Ｂ点で、図８に示すように前端が上キャリーダウンローラ８０に達する。Ｃ点で、前端はドラムの周面から離れる。Ｄ点で、図９に示すように、前端は、高速ニップローラ５０、５５に達し、これらのローラによって把持される。この点から、前端を表すグラフ線の傾きが急になり、折り込み１４の移動速度が増したことを示すことが注目されよう。Ｅ点で、図１０に示すように、前端は、低速ニップローラ６０、６５の間を通過し始めるが、まだそれらによって把持されはしない。Ｆ点で、前端はポケット１００の上部１００′に達する。Ｇ点で、グリッパ２５がドラムの中に完全に引き戻される。Ｈ点で、図１１に示すように、前端はセグメント化減速ローラ６５の高摩擦面区域７０に達し、それによって把持される。この動作が、図１２のグラフで、前端の移動経路を表す線の傾きの平坦化によって示すように、折り込み１４をただちに減速させる。最後に、Ｉ点で、折り込みの前端がポケット１００の下部１００″に達し、それによって１枚の折り込みの送りサイクルが完了する。
【００２８】
本発明の特徴として、最初の折り込みがポケットに完全に送り込まれる前にスタック１０中の次の折り込みの送りが始まる。図１２で見てわかるように、これは、第一の折り込みの前端が時点Ｈに達するわずかに前のタイミングで起こる。これが、他の方法で達成されるであろうよりも高速の動作を可能にする。
【００２９】
本発明のもう一つの実施態様が図１〜４に示されている。この実施態様では、折り込み又は他の平坦な製品をトレー１２から、フィーダの下で直線的に移動する上部が開口したポケット１００に送るための製品フィーダ１が示されている。図５の実施態様とは異なり、この実施態様は、製品をフィーダに通して引くために回転把持ドラムを使用しない。代わりに、折り込みは、図４に示すような、移動する吸引装置、ディスク及びローラの特殊な内部構造により、トレー１２からポケットに送り込まれる。
【００３０】
この構造では、１個以上の往復運動性吸引装置２２０がトレー１２の下に取り付けられている。これらの吸引装置は、トレー中に積み上げられた折り込み又は他の製品の前端を真空によって周期的に引き下げるように設計されている。吸引装置に加えて又はそれに代えてプッシュブレード又は他の装置（図示せず）を使用して製品の前端を下に押してもよい。加えて、ノズル３２０から空気の波動がトレー中の一番下のシートと下から二番目のシートとの間に周期的に吹き込まれて、シートどうしを分離させる。空気は、吸引装置２２０の動きとでタイミングを合わせた関係で規則的に吹き込まれる。
【００３１】
本発明の特徴として、図４に示すように、１個以上のセグメント化プッシュディスク２００が吸引装置２２０に隣接して、好ましくはその下に取り付けられている。ディスク２００は、好ましくは、その周面に配設された２個以上の突出部２０２及びそれに続く１個以上の凹部２０４を有する。好ましい実施態様では、２個の突出部及び２個の凹部が使用される。各突出部は高摩擦面２０１を有する。ディスクはサーボモータ２７０によって駆動される。図４に示す実施態様では、ディスクは右回りに回転する。
【００３２】
ディスク２００の突出部に対してプッシュディスクバックアップローラ２１０が押し付けられている。これは、アイドラローラであってもよいし、駆動されてもよい。好ましくは、ローラ２１０はウレタン又は他の適合性材料でできている。ディスク２００の面２０１とローラ２１０との間にピンチ点が形成される。一番下のシートがこのピンチ点に入ると、シートは急速にトレーから下向きに引き離される。
【００３３】
本発明のもう一つの特徴として、プッシュディスク２００に隣接して、モータ２７０によって駆動されるセグメント化スピードアップローラ２５０が取り付けられている。ローラ２５０は、その周面の大部分に高摩擦面２５２を有し、その周面のわずかな部分に低摩擦面２５４を有する。面２５４は、好ましくは、ローラ２５０の中へとわずかに凹んでいる。ローラ２５０に対して、好ましくはアイドラローラであるスピードアップローラバックアップローラ２６０が押し付けられている。ローラ２５０及び２６０は、折り込み紙又は他の平坦な製品がそれらのローラの間を通過するように設計されている。
【００３４】
図４に示すように、ローラ２５０及び２６０に隣接して、好ましくはそれらの下方に、１個以上の平滑な減速ローラ６５が取り付けられている。各ローラは駆動され、好ましくは、平滑な高摩擦材料をその周面に有する。ローラ６０に隣接して、駆動されるセグメント化減速ローラ６５がある。ローラ６５は、折り込み紙又は他の平坦な製品がそれらのローラの間を通過するように設計されている。ローラ６５はセグメント化されていてもよい。高摩擦材料がローラ６５の周面の少なくとも一部を覆うことができ、低摩擦材料がその周面の別の部分を覆うことができる。
【００３５】
本発明のもう一つの特徴として、１個以上のシートスチールガイド３００がローラ６５に隣接して取り付けられ、その下方に途中まで伸びている。これらのガイドは、製品がポケットに送り込まれるとき製品を補強して、製品が高速でポケットの底に当たるとき製品がつぶれる傾向を最小限にするように働く。これらのガイドはまた、摩擦によって製品を減速するのに役立つ。
【００３６】
動作中、吸引装置２２０がトレー１２中の一番下の折り込みの前端を引き下げたのち、セグメント化プッシュディスク２００が右方向に回転するとともに、ディスクの突出部２０２が前端の上面と係合し、それを下に押し始める。ディスク２００が回転し続けると、折り込みは一時的にディスクの凹部２０４に引っ掛かり、バックアップローラ２１０に達するまで、さらに下向きに曲げられる。この時点で、折り込みは、ディスク−ローラ対によって形成されるニップによって把持される。摩擦接触により折り込みがスタックからさらに下に引かれる。
【００３７】
折り込みの前端は、セグメント化スピードアップローラ２５０に達すると、ローラ２５０、２６０の高摩擦面どうしが接するとき、ローラ２５０、２６０の対によって形成されるニップによって把持される。そして、折り込みは下向きに加速される。ローラ２５０の低摩擦セグメントの目的は、折り込みがはじめにプッシュディスク２００から下に送られるとき、ローラが折り込みを滑らせて通すことを可能にすることである。プッシュディスク２００の周速度はスピードアップローラ２５０の周速度よりも低いため、これが折り込みの破れを防ぐ。
【００３８】
折り込みは、ポケット１００の中に解放される前に減速されなければならない。ローラ６５の周面は折り込みよりも低速で移動するため、折り込み１４は、折り込みの前端が、ローラ６０がローラ６５の高摩擦面セグメント７０を押すことによって形成されるニップに達するとただちに減速される。セグメントの目的は、正確な減速タイミングを得ることである。具体的には、減速は、適切な紙の取り扱いと調和した最大送り速度を維持するため、可能な最後の瞬間まで遅らされる。このようにして、折り込み１４は、つぶれたり飛び跳ねたりすることなく、それでいて高速で、ポケット１００に落ち込む。
【００３９】
図４の本発明の好ましい実施態様の動作のより詳細な工程ごとの説明は以下のとおりである。まず、製品のスタックを送りトレーに載せる。各製品は通常、平坦な折り畳んだ紙シートであり、折り畳んだ縁が図４の左側を向いている。
【００４０】
次に、製品のスタックを振動パネルによって「ジョギング」して、折り畳んだ縁が揃い、同じ面になるよう保証する。また、パネルによって空気を挿入して製品を膨らませ、分離させる。
【００４１】
次に、往復運動性吸引カップの列（たとえば一斉に動く５個のカップ）が一番下の製品の「鼻先」を下に曲げる。吸引カップは、送りトレーと接触している製品面を動かさない。
【００４２】
次に、セパレータフィンガが旋回して、セパレータフィンガのウレタン面と対向する適合性ローラとの間にピンチ点を形成する。これが、全ての製品の厚さを捕らえ、送りトレーに対する製品の直線運動を創り出す。
【００４３】
次に、製品が山積みの下から取り出されるとき、気流が、移動する製品をすぐ上の静止した製品から分離させる。好ましくは、空気は、製品が直線運動を起こしているときだけ規則的に吹き込まれる。
【００４４】
次に、高速ホイール２５０と適合性バックアップホイール２６０との間にピンチ点又はニップが形成される。このホイール組が製品速度を倍増する。大径のホイール２５０は外径に段を有して、製品を製品全厚さで係合させることを可能にする。
【００４５】
次に、好ましくは固定径であるローラ６５が先の高速区分のローラの線速度の半分の速度で回転する。ホイールのウレタン面がフィーダからの適切な排出に備えて製品を減速する。
【００４６】
次に、シートスチールガイド３００がフィーダからの排出に備えて製品を補強し、ガイド面に沿って紙が滑るときの摩擦によって製品を減速し続ける。
【００４７】
最後に、製品はフィーダの底から完全に出て、移動するポケット１００に挿入される。
【００４８】
本発明のいくつかの実施態様を明示的に開示したが、本発明は広義に解釈され、請求の範囲の文言による以外には限定されるものではない。
【図面の簡単な説明】
【００４９】
【図１】本発明の一つの実施態様の斜視図である。
【図２】図１の実施態様の側面図である。
【図３】図１の実施態様の背面図である。
【図４】図１の実施態様の側面断面図である。
【図５】本発明のもう一つの実施態様の側面断面図である。
【図６】図５の装置を通過する製品の進行を時系列的に示す側面断面図である。
【図７】図５の装置を通過する製品の進行を時系列的に示す側面断面図である。
【図８】図５の装置を通過する製品の進行を時系列的に示す側面断面図である。
【図９】図５の装置を通過する製品の進行を時系列的に示す側面断面図である。
【図１０】図５の装置を通過する製品の進行を時系列的に示す側面断面図である。
【図１１】図５の装置を通過する製品の進行を時系列的に示す側面断面図である。
【図１２】ドラム１回転の間に折り込みが図５の装置の中を移動するときの折り込み前端及び後端の位置及び速度を示すグラフである。
【図１】
2006124175.tif 000003
【図２】
2006124175.tif 000004
【図３】
2006124175.tif 000005
【図４】
2006124175.tif 000006
【図５】
2006124175.tif 000007
【図６】
2006124175.tif 000008
【図７】
2006124175.tif 000009
【図８】
2006124175.tif 000010
【図９】
2006124175.tif 000011
【図１０】
2006124175.tif 000012
【図１１】
2006124175.tif 000013
【図１２】
2006124175.tif 000014
【外国語明細書】
1. Title of the Invention
2006124175.tif 000015
2. Detailed Description of the Invention
2006124175.tif 000016
2006124175.tif 000017
2006124175.tif 000018
2006124175.tif 000019
2006124175.tif 000020
2006124175.tif 000021
2006124175.tif 000022
2006124175.tif 000023
2006124175.tif 000024
2006124175.tif 000025
2006124175.tif 000026
3. Brief Description of Drawings
2006124175.tif 000027
1. Claims
2006124175.tif 000028
1. Abstract
2006124175.tif 000029
2. Representative Drawing
None
Fig. 1
2006124175.tif 000030
Fig. 2
2006124175.tif 000031
Fig. 3
2006124175.tif 000032
Fig. 4
2006124175.tif 000033
Fig. 5
2006124175.tif 000034
Fig. 6
2006124175.tif 000035
Fig. 7
2006124175.tif 000036
Fig. 8
2006124175.tif 000037
Fig. 9
2006124175.tif 000038
Fig. 10
2006124175.tif 000039
Fig. 11
2006124175.tif 000040
Fig. 12
2006124175.tif 000041